(57)【要約】【課題】密着型画像センサーによって読み取られた画像に主走査方向に延びる筋状の画像が現れる虞を軽減する。【解決手段】画像読取装置に、電源電圧を複数の負荷へ供給するスイッチング電源、負荷である密着型画像センサー、読取制御部及び周期制御部を備える。読取制御部は、ライン周期における第１タイミングで画像読取領域外の受光素子に読取対象ラインの１つ前のラインを読み取ったときの受光電圧を出力させた後、第２タイミングで画像読取領域外の受光素子に受光電圧を出力させ、当該２つの受光電圧の差分を基準電圧とし、画像読取領域内の各受光素子に出力させた各受光電圧と基準電圧との各差分を読取対象ラインの各画素の濃度を示すものとする。周期制御部は、スイッチング電源が第１及び第２タイミングに供給する電源電圧の差分が電源電圧の最大値と最小値の差分に一致しないようスイッチング周期を変更する。【選択図】図６
2015154458.tif 000002
【特許請求の範囲】
【請求項１】
所定のスイッチング周期で変動する電源電圧を複数の負荷へ供給するスイッチング電源と、
光を照射する光源と、主走査方向に一列に配列された複数の受光素子を備え前記電源電圧を用いて各前記受光素子に受光量を示す受光電圧を個別に出力させる固体撮像素子と、を備えた密着型画像センサーと、
を備え、
前記複数の負荷のうち一つの負荷は、前記密着型画像センサーであり、
前記密着型画像センサーを原稿に対して相対的に副走査方向に移動させながら、前記光源に光を照射させ、所定のライン周期で前記原稿の画像を１ラインずつ前記固体撮像素子に読み取らせるものであり、
前記ライン周期における所定の第１タイミングで、画像読取領域外にある第１の前記受光素子に、読取対象ラインの１つ前のラインを読み取ったときの前記受光電圧を出力させた後、前記ライン周期における所定の第２タイミングで、前記画像読取領域外にある第２の前記受光素子に前記受光電圧を出力させ、当該出力させた２つの前記受光電圧の差分電圧を基準電圧として決定し、
前記基準電圧の決定後、前記画像読取領域内にある第３の各前記受光素子に前記受光電圧を出力させ、当該出力された各前記受光電圧と前記基準電圧との差分電圧のそれぞれを、前記固体撮像素子に読み取らせた前記読取対象ラインの画像の各画素の濃度を示す濃度電圧とする読取制御部と、
前記スイッチング電源が前記第１タイミング及び前記第２タイミングに供給する前記電源電圧の差分電圧が、前記電源電圧の最大値と最小値の差分電圧に一致しないように、前記スイッチング周期を変更する周期変更処理を行う周期制御部と、
を更に備える画像読取装置。
【請求項２】
前記周期制御部は、前記周期変更処理において、前記スイッチング電源が前記第１タイミング及び前記第２タイミングに供給する前記電源電圧が一致するように、前記スイッチング周期を長くする又は短くする請求項１に記載の画像読取装置。
【請求項３】
前記周期制御部は、前記周期変更処理において、前記スイッチング電源が前記第１タイミング及び前記第２タイミングに供給する前記電源電圧が一致するように、前記スイッチング周期の位相をずらす請求項１又は２に記載の画像読取装置。
【請求項４】
前記読取制御部は、前記原稿の画像を前記固体撮像素子に読み取らせるときの解像度に応じて前記ライン周期を変更する請求項１から３の何れか一項に記載の画像読取装置。
【請求項５】
前記光源は、複数色の光を照射可能であり、
前記読取制御部は、前記原稿の画像を前記固体撮像素子に読み取らせるときに前記光源に照射させる光の色に応じて前記ライン周期を変更する請求項１から３の何れか一項に記載の画像読取装置。
【請求項６】
請求項１から５の何れか一項に記載の画像読取装置と、
前記読取制御部が前記固体撮像素子に読み取らせた前記原稿の画像を用紙に形成する画像形成部と、
を備える画像形成装置。
【発明の詳細な説明】
【技術分野】
【０００１】
本発明は、密着型画像センサーを備えた画像読取装置及び当該画像読取装置を備えた画像形成装置に関する。
【背景技術】
【０００２】
従来から、ＣＣＤ（Ｃｈａｒｇｅ  Ｃｏｕｐｌｅｄ  Ｄｅｖｉｃｅ）ラインセンサーやＣＩＳ（Ｃｏｎｔａｃｔ  Ｉｍａｇｅ  Ｓｅｎｓｏｒ：密着型画像センサー）等のラインセンサーを用いて、原稿の画像を１ラインずつ読み取るコピー機やスキャナー等の画像読取装置が知られている。
【０００３】
ラインセンサーは、原稿へ光を照射する光源と、主走査方向に１列に配列された複数の受光素子を備えた固体撮像素子と、を備えている。受光素子は、原稿からの反射光を受光すると、光電変換によって受光量に相当する電荷を出力する。固体撮像素子は、各受光素子が出力した電荷を増幅して出力する。この出力電圧が、読取対象ラインの画像の各画素の濃度を示す濃度電圧として用いられる。
【０００４】
例えば、ＣＣＤラインセンサーは、固体撮像素子としてＣＣＤイメージセンサーを用いる。ＣＣＤイメージセンサーは、全ての受光素子が出力した電荷を一旦出力部に転送する。そして、ＣＣＤイメージセンサーは、高いプラス電圧とマイナス電圧を含む複数の電圧を用いて出力部から電荷を順次取り出し、各電荷を順次増幅して出力する。一方、ＣＩＳは、固体撮像素子としてＣＭＯＳイメージセンサーを用いる。ＣＭＯＳイメージセンサーは、受光素子毎に、各受光素子が出力した電荷を蓄積するコンデンサーと、当該コンデンサーに蓄積された電荷を低い電圧を用いて増幅して出力する増幅器と、を備えている。つまり、ＣＭＯＳイメージセンサーは、各受光素子が出力した電荷を個別に増幅して出力する。
【０００５】
このような画像読取装置には、上述のラインセンサーや原稿自動搬送装置等の複数の動作部へ電源電圧を供給する電源回路が設けられている。このため、ラインセンサーによって原稿の画像を読み取らせている最中に、他の動作部が動作することによって消費電流量に変動が生じる。これにより、ラインセンサーに供給される電源電圧が読取対象のライン毎に異なる場合がある。
【０００６】
この場合、固体撮像素子が電荷を増幅して出力する際に用いる電源電圧が読取対象のライン毎に異なるため、原稿が一色の画像で構成されていたとしても、固体撮像素子の出力電圧が読取対象のライン毎に異なることになる。これにより、固体撮像素子のライン毎の出力電圧の差異がライン間の濃度差となり、読み取られた画像に主走査方向に延びる筋状の画像が現れる虞があった。
【０００７】
このため、従来から、例えば、ラインセンサーに電源電圧を供給するための専用の電源回路を設け、他の動作部の動作の影響を受けて、ラインセンサーに供給される電源電圧が変動することを抑制することが行われている。しかし、ラインセンサーに対して個別に専用の電源回路を設ける場合、複数の電源回路を設けるためのコスト及び配置スペースが増大する。
【０００８】
そこで、例えば下記特許文献１に記載されているように、ＣＣＤイメージセンサの駆動開始時に、ドライバを介してＣＣＤイメージセンサに供給される駆動クロック信号を、画像読取時に必要な周波数に比べて低い周波数で動作させることにより、ドライバに流れる電流を低下させて電源電圧の変動を抑制することも行われている。
【先行技術文献】
【特許文献】
【０００９】
【特許文献１】特開２００２−２７１５７０号公報
【発明の概要】
【発明が解決しようとする課題】
【００１０】
画像読取装置では、一般的にスイッチング電源が電源回路として使用される。しかし、スイッチング電源は、スイッチング周期で変動するリップル成分を含む電源電圧を出力する。また、ＣＩＳに備えられたＣＭＯＳイメージセンサーは、上述のように低電圧で動作するため、上記特許文献１に記載の高電圧で動作するＣＣＤイメージセンサーに比して、供給される電源電圧の変動の影響を受けやすい。出願人は、試験運転を行った結果、例えば図１０に示すように、ＣＩＳによって一色の画像からなる原稿を読み取らせる場合に、ＣＩＳに供給される電源電圧を１０ｍＶ変動させると（ΔＶＣＣ＝１０ｍＶ）、ＣＭＯＳイメージセンサーの出力電圧が５ｍＶ変動する（ΔＶｄ＝５ｍＶ）ことを知見している。
【００１１】
つまり、ＣＩＳによって原稿の画像を読み取らせる場合には、スイッチング電源から供給される電源電圧がスイッチング周期で変動することによっても、ＣＭＯＳイメージセンサーの出力電圧が変動し、読み取られた画像に主走査方向に延びる筋状の画像が現れる虞があった。
【００１２】
本発明は、上記事情に鑑みてなされたものであり、スイッチング電源から供給される電源電圧を用いて動作する密着型画像センサーを備えた画像読取装置及び当該画像読取装置を備えた画像形成装置において、密着型画像センサーによって読み取られた画像に主走査方向に延びる筋状の画像が現れる虞を軽減することを目的とする。
【課題を解決するための手段】
【００１３】
本発明に係る画像読取装置は、所定のスイッチング周期で変動する電源電圧を複数の負荷へ供給するスイッチング電源と、光を照射する光源と、主走査方向に一列に配列された複数の受光素子を備え前記電源電圧を用いて各前記受光素子に受光量を示す受光電圧を個別に出力させる固体撮像素子と、を備えた密着型画像センサーと、を備え、前記複数の負荷のうち一つの負荷は、前記密着型画像センサーであり、前記密着型画像センサーを原稿に対して相対的に副走査方向に移動させながら、前記光源に光を照射させ、所定のライン周期で前記原稿の画像を１ラインずつ前記固体撮像素子に読み取らせるものであり、前記ライン周期における所定の第１タイミングで、画像読取領域外にある第１の前記受光素子に、読取対象ラインの１つ前のラインを読み取ったときの前記受光電圧を出力させた後、前記ライン周期における所定の第２タイミングで、前記画像読取領域外にある第２の前記受光素子に前記受光電圧を出力させ、当該出力させた２つの前記受光電圧の差分電圧を基準電圧として決定し、前記基準電圧の決定後、前記画像読取領域内にある第３の各前記受光素子に前記受光電圧を出力させ、当該出力された各前記受光電圧と前記基準電圧との差分電圧のそれぞれを、前記固体撮像素子に読み取らせた前記読取対象ラインの画像の各画素の濃度を示す濃度電圧とする読取制御部と、前記スイッチング電源が前記第１タイミング及び前記第２タイミングに供給する前記電源電圧の差分電圧が、前記電源電圧の最大値と最小値の差分電圧に一致しないように、前記スイッチング周期を変更する周期変更処理を行う周期制御部と、を更に備える。
【００１４】
本構成によれば、読取制御部は、画像読取領域外の第１の受光素子によって出力された読取対象ラインの１つ前のラインを読み取ったときの受光電圧と、画像読取領域外の第２の受光素子によって出力された受光電圧と、の差分電圧を基準電圧として決定する。つまり、読取制御部は、密着型画像センサーに供給される電源電圧がライン間で変動したことに応じて、固体撮像素子から出力された受光電圧がライン間で変動した度合いを基準電圧として決定する。
【００１５】
そして、読取制御部は、画像読取領域内にある第３の各受光素子によって出力された各受光電圧と基準電圧との差分電圧のそれぞれを、読取対象ラインの画像の各画素の濃度を示す濃度電圧とする。このため、密着型画像センサーに供給される電源電圧がライン間で変動したことによって、固体撮像素子から出力される受光電圧がライン間で変動したとしても、当該ライン間での受光電圧の変動度合いを示す基準電圧を、第３の受光素子によって出力された各受光電圧から取り除くことができる。これにより、ライン間での受光電圧の変動がライン間の濃度差となり、読み取られた画像に主走査方向に延びる筋状の画像が現れる虞を軽減することができる。
【００１６】
ただし、読取制御部が基準電圧を決定する際に、第１タイミング及び第２タイミングに密着型画像センサーに供給される電源電圧の差分電圧が、スイッチング周期で変動する電源電圧の最大値と最小値との差分電圧に一致する場合がある。この場合、固体撮像素子が第１及び第２の受光素子に受光電圧を出力させるときに用いる電源電圧が大きく異なるため、当該２つの受光電圧の差分電圧が示す基準電圧の精度は良いとは言えない。
【００１７】
しかし、周期制御部は、第１タイミング及び第２タイミングにスイッチング電源が供給する電源電圧の差分電圧が、スイッチング周期で変動する電源電圧の最大値と最小値との差分電圧に一致しないように、スイッチング周期を変更する。これにより、第１及び第２の受光素子に受光電圧を出力させるときに用いる電源電圧の電圧差が軽減されるので、読取制御部は、精度の良い基準電圧を決定することができる。その結果、当該精度の良い基準電圧を用いて、ライン間の受光電圧の差異を適切に取り除いた濃度電圧を得ることができ、読み取られた画像に主走査方向に延びる筋状の画像が現れる虞を精度良く軽減することができる。
【００１８】
また、前記周期制御部は、前記周期変更処理において、前記スイッチング電源が前記第１タイミング及び前記第２タイミングに供給する前記電源電圧が一致するように、前記スイッチング周期を長くする又は短くすることが好ましい。
【００１９】
この構成によれば、スイッチング電源が第１タイミング及び第２タイミングに供給する電源電圧が一致するようになる。これにより、第１及び第２の受光素子に受光電圧を出力させるときに用いる電源電圧の電圧差がなくなるので、読取制御部は、精度の良い基準電圧を決定することができる。
【００２０】
また、前記周期制御部は、前記周期変更処理において、前記スイッチング電源が前記第１タイミング及び前記第２タイミングに供給する前記電源電圧が一致するように、前記スイッチング周期の位相をずらすことが好ましい。
【００２１】
この構成によれば、スイッチング電源が第１タイミング及び第２タイミングに供給する電源電圧が一致するようになる。これにより、第１及び第２の受光素子に受光電圧を出力させるときに用いる電源電圧の電圧差がなくなるので、読取制御部は、精度の良い基準電圧を決定することができる。
【００２２】
また、前記読取制御部は、前記原稿の画像を前記固体撮像素子に読み取らせるときの解像度に応じて前記ライン周期を変更することが好ましい。
【００２３】
この構成によれば、解像度に応じて変更されたライン周期における所定の第１タイミング及び第２タイミングにおいて、第１及び第２の受光素子に受光電圧を出力させるときに用いる電源電圧の電圧差が軽減される。これにより、読取制御部は、解像度に応じて適切な基準電圧を決定することができる。その結果、各解像度で読み取られた画像に主走査方向に延びる筋状の画像が現れる虞を精度良く軽減することができる。
【００２４】
また、前記光源は、複数色の光を照射可能であり、前記読取制御部は、前記原稿の画像を前記固体撮像素子に読み取らせるときに前記光源に照射させる光の色に応じて前記ライン周期を変更することが好ましい。
【００２５】
この構成によれば、光源から照射される光の色に応じて変更されたライン周期における所定の第１タイミング及び第２タイミングにおいて、第１及び第２の受光素子にそれぞれ受光電圧を出力させるときに用いる電源電圧の電圧差が軽減される。これにより、読取制御部は、光源に照射させる光の色に応じて適切な基準電圧を決定することができる。その結果、読み取られた各色の画像に主走査方向に延びる筋状の画像が現れる虞を精度良く軽減することができる。
【００２６】
また、本発明に係る画像形成装置は、前記画像読取装置と、前記読取制御部が前記固体撮像素子に読み取らせた前記原稿の画像を用紙に形成する画像形成部と、を備える。
【００２７】
この構成によれば、固体撮像素子によって読み取られた、主走査方向に延びる筋状の画像が軽減された画像を、画像形成部によって用紙に形成することができる。
【発明の効果】
【００２８】
本発明によれば、スイッチング電源から供給される電源電圧を用いて動作する密着型画像センサーを備えた画像読取装置及び当該画像読取装置を備えた画像形成装置において、密着型画像センサーによって読み取られた画像に主走査方向に延びる筋状の画像が現れる虞を軽減することができる。
【図面の簡単な説明】
【００２９】
【図１】本発明に係る画像形成装置の一実施形態に係るカラー複写機の概略構造図である。
【図２】前記カラー複写機の電気的構成を示すブロック図である。
【図３】本発明に係る密着型画像センサーの一実施形態に係るＣＩＳの概略構造図である。
【図４】本発明に係る固体撮像素子の一実施形態に係るＣＭＯＳイメージセンサーの概略構造図である。
【図５】原稿の画像をモノクロ画像としてＣＭＯＳイメージセンサーに読み取らせるときのライン周期とＣＭＯＳイメージセンサーの出力電圧との関係を示す図である。
【図６】周期変更処理によってスイッチング周期が変更される前後において、ＣＩＳに供給される電源電圧の一例を示す図である。
【図７】周期変更処理によってスイッチング周期が変更される前後において、ＣＩＳに供給される電源電圧の図６とは別の一例を示す図である。
【図８】３つの解像度のそれぞれに対応するライン周期を示す図である。
【図９】光源によって照射される光の色と、光源によって照射される光の色に対応するライン周期と、の関係を示す図である。
【図１０】ＣＩＳに供給される電源電圧の変動とＣＭＯＳイメージセンサーの出力電圧の変動との関係を示す図である。
【発明を実施するための形態】
【００３０】
以下、本発明に係る実施形態を図面に基づいて説明する。尚、本実施形態では、画像形成装置としてカラー複写機を例に説明するが、これに限定する趣旨ではなく、画像形成装置は、例えば、モノクロ複写機、プリンター、ファクシミリ装置、又は複合機であってもよい。
【００３１】
図１は、本発明に係る画像形成装置の一実施形態に係るカラー複写機１の概略構造図である。図１に示すように、カラー複写機１は、操作部７と、原稿給送部６、原稿読取部５と、本体部８と、を備えている。
【００３２】
操作部７には、スタートキー７１と、テンキー７２と、表示部７３と、リセットキー７４と、ストップキー７５と、機能切換キー７７が備えられている。
【００３３】
スタートキー７１は、コピー機能、プリンター機能、スキャナー機能及びファクシミリ機能等、カラー複写機１で実行可能な各機能の動作を開始するためのキーである。テンキー７２は、数字や記号を入力するためのキーである。表示部７３は、各機能の設定内容を入力するための設定画面等を表示し、これら各種入力用にタッチパネル機能を有する液晶ディスプレイ等からなる。リセットキー７４は、各機能の設定内容を初期状態に戻すためのキーである。ストップキー７５は、各機能の動作を停止するためのキーである。機能切換キー７７は、実行対象の機能を切り換えるためのキーである。
【００３４】
原稿給送部６は、原稿を載置するための原稿載置部６１と、画像読み取り済みの原稿が排出される原稿排出部６２と、原稿搬送機構６３と、を備えている。原稿搬送機構６３は、原稿載置部６１に載置された原稿を１枚ずつ繰り出して、後述の原稿読取スリット５３に対向する位置へ搬送した後、原稿排出部６２へ排出する。
【００３５】
原稿読取部５は、ＣＩＳ９（密着型画像センサー）と、ガラス等の透明部材により構成された原稿台５２及び原稿読取スリット５３と、を備えている。
【００３６】
ＣＩＳ９は、図略の駆動部によって、副走査方向（図１におけるＹ方向）に移動可能に構成されている。ＣＩＳ９は、原稿台５２に載置された原稿を読み取るときは、原稿台５２に対向する位置で原稿面に沿って副走査方向に移動し、原稿の画像を走査しつつ取得した画像データを後述する制御部１０（図４）へ出力する。一方、ＣＩＳ９は、原稿給送部６によって副走査方向に搬送される原稿を読み取るときは、原稿読取スリット５３と対向する位置に移動する。そして、ＣＩＳ９は、原稿給送部６による原稿の搬送動作と同期して、原稿読取スリット５３を介して原稿の画像を取得し、その画像データを制御部１０へ出力する。このように、ＣＩＳ９は、原稿に対して相対的に副走査方向に移動しながら、原稿の画像を取得し、取得した画像データを制御部１０へ出力する。
【００３７】
本体部８は、用紙を収容するための複数の給紙カセット４６１と、複数の給紙ローラ４６２と、画像形成部４と、スタックトレイ８１と、排出トレイ８２と、を備えている。各給紙ローラ４６２は、各給紙カセット４６１に収容された用紙を１枚ずつ繰り出して画像形成部４へ搬送する。画像形成部４は、搬送されてきた用紙に画像を形成し、画像が形成された用紙をスタックトレイ８１又は排出トレイ８２へ排出する。
【００３８】
画像形成部４は、除電部４２１と、帯電部４２２と、露光部４２３と、現像部４４Ｋ，４４Ｙ，４４Ｍ，４４Ｃと、転写ドラム４９と、転写部４１と、定着部４５と、排出ローラ４６３，４６４と、を備えている。
【００３９】
除電部４２１は、感光体ドラム４３の表面の残留電荷を除電する。帯電部４２２は、除電後の感光体ドラム４３の表面を帯電させる。露光部４２３は、ＣＩＳ９により取得された画像データに基づいてレーザー光を出力し、感光体ドラム４３表面を露光する。これにより、露光部４２３は、感光体ドラム４３の表面に静電潜像を形成する。現像部４４Ｋ，４４Ｙ，４４Ｍ，４４Ｃは、感光体ドラム４３の表面に形成された静電潜像に、それぞれ、シアン（Ｃ）、マゼンタ（Ｍ）、イエロー（Ｙ）及びブラック（Ｋ）の各色のトナーを供給する。これにより、現像部４４Ｋ，４４Ｙ，４４Ｍ，４４Ｃは、各色のトナー像を感光体ドラム４３の表面に形成する。転写ドラム４９には、感光体ドラム４３の表面に形成された各色のトナー画像が転写される。転写部４１は、転写ドラム４９に転写されたトナー像を用紙に転写させる。定着部４５は、トナー像が転写された用紙を加熱してトナー像を用紙に定着させる。このようにして、画像形成部４は、ＣＩＳ９により取得された画像データが示す画像を用紙に形成する。排出ローラ４６３，４６４は、画像が形成された用紙をスタックトレイ８１又は排出トレイ４８へ排出する。
【００４０】
図２は、カラー複写機１の電気的構成を示すブロック図である。カラー複写機１は、図２に示すように、本体部８の内部に、スイッチング電源２と、制御部１０と、を更に備えている。尚、スイッチング電源２、原稿読取部５及び制御部１０は、本発明に係る画像読取装置の一例を構成する。
【００４１】
スイッチング電源２は、不図示の外部電源から供給される交流電圧を平滑化して直流電圧を生成する。そして、スイッチング電源２は、所定のスイッチング周期でスイッチング素子をオンオフすることにより、当該スイッチング素子の後段に設けられた平滑回路への上記生成した直流電圧の供給と遮断とを切り替える。そして、スイッチング電源２は、当該平滑回路で平滑化した電圧を出力する。このため、スイッチング電源２の出力電圧は、スイッチング周期で変動するリップル成分を含む。以下、スイッチング電源２から出力される、スイッチング周期で変動する電圧を電源電圧と示す。
【００４２】
スイッチング電源２から出力される電源電圧は、原稿給送部６、画像形成部４、原稿読取部５、制御部１０等の複数の動作部（負荷）へ供給される。このため、スイッチング電源２から供給される電源電圧を用いて各動作部が動作し、各動作部による消費電流量が変動すると、これに応じてスイッチング電源２から出力された電源電圧も変動する。これに備えて、スイッチング電源２は、出力した電源電圧をフィードバックし、当該フィードバックした電源電圧の電圧値に基づいてスイッチング素子をオン（オフ）させる期間を調整することで、出力する電源電圧を所定レベルに安定させる。
【００４３】
制御部１０は、例えば、所定の演算処理を実行するＣＰＵ（Ｃｅｎｔｒａｌ  Ｐｒｏｃｅｓｓｉｎｇ  Ｕｎｉｔ）、所定の制御プログラムが記憶されたＲＯＭ（Ｒｅａｄ  Ｏｎｌｙ  Ｍｅｍｏｒｙ）やデータを一時的に記憶するＲＡＭ（Ｒａｎｄｏｍ  Ａｃｃｅｓｓ  Ｍｅｍｏｒｙ）等のメモリー、画像データ等の各種データを記憶するＨＤＤ（Ｈａｒｄ  Ｄｉｓｋ  Ｄｒｉｖｅ）等の記憶媒体、及び、これらの周辺回路等を備えている。制御部１０は、不図示の制御バスによって、スイッチング電源２、原稿給送部６、画像形成部４、操作部７及び原稿読取部５との間で互いに通信可能に接続されている。
【００４４】
制御部１０は、ＲＯＭ等に記憶された制御プログラムをＣＰＵによって実行することによって、カラー複写機１内の各動作部の動作を制御する。制御部１０は、特に、ＣＩＳ９に原稿の画像を読み取らせる制御に関し、指示受付部１１、読取制御部１２、及び周期制御部１３として機能する。
【００４５】
指示受付部１１は、ユーザーによって操作部７を用いて入力された指示を受け付ける。当該指示には、例えば、原稿の画像をモノクロ画像として読み取らせるかカラー画像として読み取らせるかの選択指示や、原稿の画像を読み取らせるときの解像度を指定する指示等が含まれる。
【００４６】
読取制御部１２は、ＣＩＳ９を原稿Ｐに対して相対的に副走査方向に移動させながら、ＣＩＳ９に備えられた後述の光源９１に光を照射させ、ＣＩＳ９に備えられた後述のＣＭＯＳイメージセンサー９３に、所定のライン周期で原稿Ｐの画像を１ラインずつ読み取らせる読取制御を行う。
【００４７】
以下、上記読取制御の詳細について説明する。先ず、上記読取制御に用いられるＣＩＳ９について詳述する。ＣＩＳ９は、図２に示すように、スイッチング電源２から原稿読取部５へ供給される電源電圧を用いて動作する。つまり、ＣＩＳ９は、本発明に係る負荷の一例である。図３は、本発明に係る密着型画像センサーの一実施形態に係るＣＩＳ９の概略構造図である。図３に示すように、ＣＩＳ９は、光源９１と、集光レンズ９２と、ＣＭＯＳイメージセンサー９３（固体撮像素子）と、を備えている。
【００４８】
光源９１は、Ｒ（赤）色の光を照射するＬＥＤ光源９１Ｒと、Ｇ（緑）色の光を照射するＬＥＤ光源９１Ｇと、Ｂ（青）色の光を照射するＬＥＤ光源９１Ｂと、を備えている。また、ＣＩＳ９には、ＬＥＤ光源９１Ｒ、９１Ｇ、９１Ｂから照射された光を、副走査方向に直交する主走査方向（図３において紙面表裏方向）全域に対応する幅の光に拡散して原稿Ｐに照射させる不図示の導光部材が設けられている。ただし、当該導光部材を備えることに代えて、ＬＥＤ光源９１Ｒ、９１Ｇ、９１Ｂをそれぞれ複数個ずつ設け、これらを主走査方向に一列に並べて配設してもよい。
【００４９】
読取制御部１２は、原稿Ｐの画像をモノクロ（白黒）画像として読み取らせる場合、ＬＥＤ光源９１Ｒ、９１Ｇ、９１Ｂを同時に点灯させる。これにより、白色光が、原稿台５２又は原稿読取スリット５３を介して原稿Ｐへ照射される。一方、読取制御部１２は、原稿Ｐの画像をカラー画像として読み取らせる場合、ＬＥＤ光源９１Ｒ、９１Ｇ、９１Ｂを個別に点灯させる。これにより、ＲＧＢ各色の光が、個別に原稿台５２又は原稿読取スリット５３を介して原稿Ｐへ照射される。
【００５０】
集光レンズ９２は、例えば棒状のレンズを用いたロッドレンズアレイであり、原稿Ｐで反射され、原稿台５２又は原稿読取スリット５３を通過してきた光をＣＭＯＳイメージセンサー９３へ集光する。
【００５１】
図４は、本発明に係る固体撮像素子の一実施形態に係るＣＭＯＳイメージセンサー９３の概略構造図である。図４には、図１及び図３における紙面上方から、原稿台５２又は原稿読取スリット５３を介して見たＣＭＯＳイメージセンサー９３の平面図が示されている。図４に示すように、ＣＭＯＳイメージセンサー９３は、主走査方向（Ｘ方向）に一列に配列された複数の受光素子３２Ｒ〜３２Ｋ，３３−１〜３３−ｎ，３１Ｒ〜３１Ｋを備えている。
【００５２】
各受光素子３２Ｒ〜３１Ｋ，３３−１〜３３−ｎ，３１Ｒ〜３１Ｋは、それぞれ、フォトダイオード等で構成され、光を受光すると、その受光量に対応する電荷を出力する。各受光素子３２Ｒ〜３１Ｋ，３３−１〜３３−ｎ，３１Ｒ〜３１Ｋの出力端には、それぞれ、不図示のコンデンサーが接続されている。当該コンデンサーには、各受光素子３２Ｒ〜３１Ｋ，３３−１〜３３−ｎ，３１Ｒ〜３１Ｋから出力された電荷が蓄積される。また、上記各コンデンサーには、それぞれ、不図示の増幅器が接続されている。各増幅器は、スイッチング電源２から供給される電源電圧を用いて、当該増幅器に接続されたコンデンサーに蓄積されている電荷を増幅して出力する。つまり、ＣＭＯＳイメージセンサー９３は、各受光素子３２Ｒ〜３１Ｋ，３３−１〜３３−ｎ，３１Ｒ〜３１Ｋによって出力された電荷を個別に増幅して出力する。
【００５３】
以下では、ＣＭＯＳイメージセンサー９３によって、各受光素子３２Ｒ〜３１Ｋ，３３−１〜３３−ｎ，３１Ｒ〜３１Ｋによって出力された各コンデンサーに蓄積された電荷を各増幅器によって増幅して出力させることを、単に、各受光素子３２Ｒ〜３１Ｋ，３３−１〜３３−ｎ，３１Ｒ〜３１Ｋに受光電圧を出力させると示す。
【００５４】
また、原稿Ｐに対向する領域である画像読取領域Ａ外にある受光素子３１Ｒ〜３１Ｋを総称する場合、第１の受光素子３１と示す。同様に、画像読取領域Ａ外にある受光素子３２Ｒ〜３２Ｋを総称する場合、第２の受光素子３２と示す。また、画像読取領域Ａ内にある受光素子３３−１〜３３−ｎを総称する場合、第３の受光素子３３と示す。
【００５５】
第３の受光素子３３に含まれる受光素子の数は、主走査方向の解像度の最大値に一致している。例えば、図４は、主走査方向の解像度の最大値が「ｎ」であり、これに応じて、第３の受光素子３３にｎ個の受光素子３３−１〜３３−ｎが含まれる例を示している。
【００５６】
また、受光素子３１Ｒ及び受光素子３２Ｒは、Ｒ色の光のみを透過させる光学フィルターを備え、ＬＥＤ光源９１Ｒが点灯されたときにのみ、Ｒ色の光の受光量を示す電荷を出力する。同様に、受光素子３１Ｇ及び受光素子３２Ｇは、Ｇ色の光のみを透過させる光学フィルターを備え、ＬＥＤ光源９１Ｇが点灯されたときにのみ、Ｇ色の光の受光量を示す電荷を出力する。また、受光素子３１Ｂ及び受光素子３２Ｂは、Ｂ色の光のみを透過させる光学フィルターを備え、ＬＥＤ光源９１Ｂが点灯されたときにのみ、Ｂ色の光の受光量を示す電荷を出力する。
【００５７】
次に、上記読取制御の一例として、原稿Ｐの画像をモノクロ画像としてＣＭＯＳイメージセンサー９３に読み取らせるときの動作について説明する。図５は、原稿Ｐの画像をモノクロ画像としてＣＭＯＳイメージセンサー９３に読み取らせるときのライン周期Ｔ０とＣＭＯＳイメージセンサー９３の出力電圧Ｖｏとの関係を示す図である。
【００５８】
読取制御部１２は、原稿台５２に載置された原稿Ｐを読み取らせる場合、ＣＩＳ９を副走査方向に所定の一定速度で移動させる。一方、読取制御部１２は、原稿給送部６によって副走査方向に搬送される原稿Ｐを読み取らせる場合、ＣＩＳ９を原稿読取スリット５３に対向する位置に移動させた後、原稿給送部６に原稿を上記一定速度で搬送させる。そして、読取制御部１２は、図５に示すように、ライン周期Ｔ０の間、ＬＥＤ光源９１Ｒ、９１Ｇ、９１Ｂを同時に点灯させることにより、原稿Ｐに対して白色光を照射させる。
【００５９】
ライン周期Ｔ０の開始時刻ｔ０から所定の時間が経過した時刻ｔ１（第１タイミング）になると、読取制御部１２は、受光素子３１Ｋ（図４）に受光電圧を出力させる。その後、所定の時間が経過した時刻ｔ２（第２タイミング）になると、読取制御部１２は、受光素子３２Ｋ（図４）に受光電圧を出力させる。そして、読取制御部１２は、時刻ｔ１及び時刻ｔ２に出力させた２つの受光電圧の差分電圧ΔＶｄを基準電圧として決定する。
【００６０】
その後、読取制御部１２は、所定の時間が経過した時刻ｔ３になると、受光素子３３−１〜３３−ｎのうち、指示受付部１１によって受け付けられた主走査方向の解像度に応じた数の第３の受光素子３３に受光電圧を出力させる。
【００６１】
そして、読取制御部１２は、第３の受光素子３３による受光電圧の出力が終了した時刻ｔ４になると、第３の受光素子３３によって出力された各受光電圧と、上記決定した基準電圧と、の差分電圧のそれぞれを、ＣＭＯＳイメージセンサー９３に読み取らせた読取対象ラインの画像の各画素の濃度を示す濃度電圧とする。このようにして、読取制御部１２は、当該各濃度電圧を示す値からなる画像データを、読取対象ラインの画像を示す画像データとして取得する。
【００６２】
そして、読取制御部１２は、ライン周期Ｔ０の終了時刻ｔ５になると、受光素子３１Ｋ及び受光素子３２Ｋの出力端に接続されたコンデンサーに蓄積されている電荷を残したまま、第３の受光素子３３の出力端に接続されたコンデンサーに蓄積されている電荷のみを消去（リセット）する。
【００６３】
このようにして、読取制御部１２は、ライン周期Ｔ０において原稿Ｐの１ライン分の画像データを取得することを繰り返し、原稿Ｐの全ライン分の画像データを取得する。
【００６４】
つまり、時刻ｔ１において、読取制御部１２は、１つ前のライン周期Ｔ０で読取対象ラインの１つ前のラインの画像を示す画像データを取得しているときに、原稿Ｐに光が照射されたことによって受光素子３１Ｋに接続されたコンデンサーに蓄積された電荷を増幅して出力させる。このようにして、読取制御部１２は、時刻ｔ１において、受光素子３１Ｋに、当該ライン周期Ｔ０における読取対象ラインの１つ前のラインを読み取ったときの受光電圧を出力させる。
【００６５】
図２に参照を戻す。周期制御部１３は、スイッチング電源２が時刻ｔ１及び時刻ｔ２に供給する電源電圧の差分電圧が、スイッチング周期で変動する電源電圧の最大値と最小値の差分電圧に一致しないように、スイッチング周期Ｔｓを変更する周期変更処理を行う。
【００６６】
図６は、周期変更処理によってスイッチング周期Ｔｓが変更される前後において、ＣＩＳ９に供給される電源電圧の一例を示す図である。例えば、読取制御部１２が原稿給送部６によって搬送される原稿Ｐの画像をＣＩＳ９に読み取らせるとする。そして、図６に示すように、ライン周期Ｔ０における時刻ｔ１及び時刻ｔ２においてＣＩＳ９に供給される電源電圧Ｖｉ０の差分電圧ΔＶｉが、スイッチング周期Ｔｓで変動する電源電圧Ｖｉ０の最大値と最小値の差分電圧に一致するとする。尚、この状況になることは、原稿給送部６によって搬送される原稿Ｐの画像をＣＩＳ９に読み取らせる試験運転を行うことにより、予め把握することができる。
【００６７】
この場合、周期制御部１３は、周期変更処理を実行し、例えばスイッチング周期Ｔｓの期間を２分の１倍に縮小する。つまり、周期制御部１３は、当該縮小後のスイッチング周期Ｔｓ１（＝Ｔｓ／２）で変動する電源電圧Ｖｉ１をスイッチング電源２に出力させ、時刻ｔ１及び時刻ｔ２においてＣＩＳ９に供給される電源電圧Ｖｉ１を一致させる。
【００６８】
又は、周期制御部１３は、周期変更処理において、例えばスイッチング周期Ｔｓの期間を４分の１倍に縮小してもよい。つまり、周期制御部１３は、当該縮小後のスイッチング周期Ｔｓ２（＝Ｔｓ／４）で変動する電源電圧Ｖｉ２をスイッチング電源２に出力させ、時刻ｔ１及び時刻ｔ２においてＣＩＳ９に供給される電源電圧Ｖｉ２を一致させてもよい。
【００６９】
このように、周期制御部１３は、周期変更処理において、スイッチング周期Ｔｓの期間を（２×ｍ（ｍは自然数））分の１倍に縮小する。これにより、周期制御部１３は、時刻ｔ１及び時刻ｔ２においてＣＩＳ９に供給される電源電圧Ｖｉ１を一致させる。
【００７０】
又は、周期制御部１３は、周期変更処理において、例えばスイッチング周期Ｔｓの期間を２分の３倍に拡大してもよい。つまり、周期制御部１３は、当該縮小後のスイッチング周期Ｔｓ３（＝３Ｔｓ／２）で変動する電源電圧Ｖｉ３をスイッチング電源２に出力させ、時刻ｔ１及び時刻ｔ２においてＣＩＳ９に供給される電源電圧Ｖｉ３を一致させてもよい。
【００７１】
上記実施形態の構成によれば、読取制御部１２は、画像読取領域Ａ外の受光素子３１Ｋによって出力された読取対象ラインの１つ前のラインを読み取ったときの受光電圧と、画像読取領域Ａ外の受光素子３２Ｋによって出力された受光電圧と、の差分電圧ΔＶｄを基準電圧として決定する。つまり、読取制御部１２は、ＣＩＳ９に供給される電源電圧Ｖｉ０がライン間で変動したことに応じて、ＣＭＯＳイメージセンサー９３から出力される受光電圧がライン間で変動した度合いを基準電圧として決定する。
【００７２】
そして、読取制御部１２は、画像読取領域Ａ内にある第３の受光素子３３によって出力された各受光電圧と基準電圧との差分電圧のそれぞれを、読取対象ラインの画像の各画素の濃度を示す濃度電圧とする。このため、ＣＩＳ９に供給される電源電圧がライン間で変動したことによって、ＣＭＯＳイメージセンサー９３から出力される受光電圧がライン間で変動したとしても、当該ライン間での受光電圧の変動度合いを示す基準電圧を、第３の受光素子３３によって出力された各受光電圧から取り除くことができる。これにより、ライン間での受光電圧の変動がライン間の濃度差となり、読み取られた画像に主走査方向に延びる筋状の画像が現れる虞を軽減することができる。
【００７３】
ただし、読取制御部１２が基準電圧を決定する際に、時刻ｔ１及び時刻ｔ２にＣＩＳ９に供給される電源電圧の差分電圧ΔＶｉが、スイッチング周期Ｔｓで変動する電源電圧の最大値と最小値との差分電圧に一致する場合がある。この場合、ＣＭＯＳイメージセンサー９３が受光素子３１Ｋ及び受光素子３２Ｋに受光電圧を出力させるときに用いる電源電圧が大きく異なるため、当該２つの受光電圧の差分電圧ΔＶｄが示す基準電圧の精度は良いとは言えない。
【００７４】
しかし、周期制御部１３は、時刻ｔ１及び時刻ｔ２にスイッチング電源２が供給する電源電圧の差分電圧ΔＶｉが、スイッチング周期Ｔｓで変動する電源電圧の最大値と最小値との差分電圧に一致しないように、スイッチング周期Ｔｓを変更する。これにより、受光素子３１Ｋ及び受光素子３２Ｋに受光電圧を出力させるときに用いる電源電圧の電圧差が軽減されるので、読取制御部１２は、精度の良い基準電圧を決定することができる。その結果、当該精度の良い基準電圧を用いて、ライン間の受光電圧の差異を適切に取り除いた濃度電圧を得ることができ、読み取られた画像に主走査方向に延びる筋状の画像が現れる虞を精度良く軽減することができる。
【００７５】
また、上記実施形態の構成によれば、周期制御部１３が周期変更処理を行うことによって、スイッチング電源２が時刻ｔ１及び時刻ｔ２に供給する電源電圧Ｖｉ１、Ｖｉ２、Ｖｉ３が一致するようになる。これにより、受光素子３１Ｋ及び受光素子３２Ｋに受光電圧を出力させるときに用いる電源電圧の電圧差がなくなるので、読取制御部１２は、精度の良い基準電圧を決定することができる。
【００７６】
また、上記実施形態の構成によれば、ＣＭＯＳイメージセンサー９３によって読み取られた、主走査方向に延びる筋状の画像が軽減された画像を、画像形成部４によって用紙に形成することができる。
【００７７】
尚、図１乃至図６に示した構成等は、本発明に係る実施形態の例示に過ぎず、本発明を当該実施形態に限定する趣旨ではない。
【００７８】
（１）例えば、周期制御部１３は、周期変更処理において、図６に示すようにスイッチング周期Ｔｓの期間を変更することに代えて、スイッチング周期Ｔｓの位相を変更してもよい。
【００７９】
図７は、周期変更処理によってスイッチング周期Ｔｓが変更される前後において、ＣＩＳ９に供給される電源電圧の図６とは別の一例を示す図である。例えば、読取制御部１２が原稿給送部６によって搬送される原稿Ｐの画像をＣＩＳ９に読み取らせるとする。そして、図７に示すように、ライン周期Ｔ０における時刻ｔ１及び時刻ｔ２においてＣＩＳ９に供給される電源電圧Ｖｉ０の差分電圧ΔＶｉが、スイッチング周期Ｔｓで変動する電源電圧Ｖｉ０の最大値と最小値の差分電圧に一致するとする。尚、この状況になることは、原稿給送部６によって搬送される原稿Ｐの画像をＣＩＳ９に読み取らせる試験運転を行うことにより、予め把握することができる。
【００８０】
この場合、周期制御部１３は、周期変更処理を実行し、例えばスイッチング周期Ｔｓの位相を１／４周期（Ｔｓ／４）遅らせる。つまり、周期制御部１３は、当該位相を遅らせた後のスイッチング周期Ｔｓ４で変動する電源電圧Ｖｉ４をスイッチング電源２に出力させ、時刻ｔ１及び時刻ｔ２においてＣＩＳ９に供給される電源電圧Ｖｉ４を一致させる。
【００８１】
又は、周期制御部１３は、周期変更処理において、例えばスイッチング周期Ｔｓの位相を１／４周期（Ｔｓ／４）早めてもよい。つまり、周期制御部１３は、当該位相を早めた後のスイッチング周期Ｔｓ５で変動する電源電圧Ｖｉ５をスイッチング電源２に出力させ、時刻ｔ１及び時刻ｔ２においてＣＩＳ９に供給される電源電圧Ｖｉ５を一致させてもよい。
【００８２】
この構成によれば、周期制御部１３が周期変更処理を行うことによって、スイッチング電源２が時刻ｔ１及び時刻ｔ２に供給する電源電圧Ｖｉ４、Ｖｉ５が一致するようになる。これにより、受光素子３１Ｋ及び受光素子３２Ｋに受光電圧を出力させるときに用いる電源電圧の電圧差がなくなるので、読取制御部１２は、精度の良い基準電圧を決定することができる。
【００８３】
（２）また、読取制御部１２は、原稿Ｐの画像をＣＭＯＳイメージセンサー９３に読み取らせるときの解像度に応じてライン周期Ｔ０を変更する。図８は、３つの解像度のそれぞれに対応するライン周期Ｔ０、Ｔ０ｕ、Ｔ０ｖを示す図である。
【００８４】
例えば、指示受付部１１により、上述したライン周期Ｔ０で原稿Ｐの画像を読み取らせるときの解像度よりも低い解像度で、原稿Ｐの画像を読み取らせる指示が受け付けられたとする。
【００８５】
この場合、読取制御部１２は、主走査方向の解像度を低くするために、受光電圧を出力させる対象の第３の受光素子３３の数を削減する。更に、読取制御部１２は、副走査方向の解像度を低くするために、例えば図８に示すように、当該受け付けられた解像度に応じたライン周期Ｔ０ｕの期間を、ライン周期Ｔ０の期間のｕ（ｕ＞１）倍に拡大する（Ｔ０ｕの期間＝Ｔ０の期間×ｕ）。
【００８６】
これに合わせて、読取制御部１２は、ライン周期Ｔ０における所定の時刻ｔ０〜ｔ５にそれぞれ対応するライン周期Ｔ０ｕにおける所定の時刻ｔ０ｕ〜ｔ５ｕの各間隔Δｔ０１ｕ〜Δｔ４５ｕも、ライン周期Ｔ０における所定の時刻ｔ０〜ｔ５の各間隔Δｔ０１〜Δｔ４５の上記ｕ倍に拡大する（Δｔ０１ｕ＝Δｔ０１×ｕ、Δｔ１２ｕ＝Δｔ１２×ｕ、Δｔ２３ｕ＝Δｔ２３×ｕ、Δｔ３４ｕ＝Δｔ３４×ｕ、Δｔ４５ｕ＝Δｔ４５×ｕ）。
【００８７】
これにより、変更後のライン周期Ｔ０ｕの間にＣＩＳ９が副走査方向に移動する距離が長くなり、読み取られるライン数が少なくなる。その結果、読み取られた画像の副走査方向の解像度が低くなる。
【００８８】
この場合、周期制御部１３は、受け付けられた解像度に応じたライン周期Ｔ０ｕにおける時刻ｔ１ｕ及び時刻ｔ２ｕに、スイッチング電源２が供給する電源電圧の差分電圧が、スイッチング周期Ｔｓで変動する電源電圧の最大値と最小値の差分電圧に一致しないように、図６又は図７を用いて上述した周期変更処理と同様にして、スイッチング周期Ｔｓを変更する。
【００８９】
これとは反対に、指示受付部１１により、上述したライン周期Ｔ０で原稿Ｐの画像を読み取らせるときの解像度よりも高い解像度で、原稿Ｐの画像を読み取らせる指示が受け付けられたとする。
【００９０】
この場合、読取制御部１２は、主走査方向の解像度を高くするために、受光電圧を出力させる対象の第３の受光素子３３の数を増大する。更に、読取制御部１２は、副走査方向の解像度を高くするために、例えば図８に示すように、当該受け付けられた解像度に応じたライン周期Ｔ０ｖの期間を、ライン周期Ｔ０の期間のｖ（ｖ＞１）分の１倍に縮小する（Ｔ０ｖの期間＝Ｔ０の期間／ｖ）。
【００９１】
これに合わせて、読取制御部１２は、ライン周期Ｔ０における所定の時刻ｔ０〜ｔ５にそれぞれ対応するライン周期Ｔ０ｖにおける所定の時刻ｔ０ｖ〜ｔ５ｖの各間隔Δｔ０１ｖ〜Δｔ４５ｖも、ライン周期Ｔ０における所定の時刻ｔ０〜ｔ５の各間隔Δｔ０１〜Δｔ４５の上記ｖ分の１倍に縮小する（Δｔ０１ｖ＝Δｔ０１／ｖ、Δｔ１２ｖ＝Δｔ１２／ｖ、Δｔ２３ｖ＝Δｔ２３／ｖ、Δｔ３４ｖ＝Δｔ３４／ｖ、Δｔ４５ｖ＝Δｔ４５／ｖ）。
【００９２】
これにより、変更後のライン周期Ｔ０ｖの間にＣＩＳ９が副走査方向に移動する距離が短くなり、読み取られるライン数が多くなる。その結果、読み取られた画像の副走査方向の解像度が高くなる。
【００９３】
尚、この場合も、周期制御部１３は、受け付けられた解像度に応じたライン周期Ｔ０ｖにおける時刻ｔ１ｖ及び時刻ｔ２ｖに、スイッチング電源２が供給する電源電圧の差分電圧が、スイッチング周期Ｔｓで変動する電源電圧の最大値と最小値の差分電圧に一致しないように、図６又は図７を用いて上述した周期変更処理と同様にして、スイッチング周期Ｔｓを変更する。
【００９４】
この構成によれば、解像度に応じて変更されたライン周期Ｔ０ｕ（Ｔ０ｖ）における所定の時刻ｔ１ｕ（ｔ１ｖ）及び時刻ｔ２ｕ（ｔ２ｖ）において、受光素子３１Ｋ、３２Ｋにそれぞれ受光電圧を出力させるときに用いる電源電圧の電圧差が軽減される。これにより、読取制御部１２は、解像度に応じて適切な基準電圧を決定することができる。その結果、各解像度で読み取られた画像に主走査方向に延びる筋状の画像が現れる虞を精度良く軽減することができる。
【００９５】
（３）また、読取制御部１２は、原稿Ｐの画像をＣＭＯＳイメージセンサー９３に読み取らせるときに、光源９１に照射させる光の色に応じてライン周期Ｔ０を変更する。図９は、光源９１によって照射される光の色と、光源９１によって照射される光の色に対応するライン周期Ｔｒ、Ｔｇ、Ｔｂと、の関係を示す図である。
【００９６】
例えば、指示受付部１１により、上述したライン周期Ｔ０で原稿Ｐの画像をモノクロ画像として読み取らせるときの解像度と同じ解像度で、原稿Ｐの画像をカラー画像として読み取らせる指示が受け付けられたとする。
【００９７】
この場合、読取制御部１２は、光源９１によって原稿Ｐの画像にＲＧＢ各色の光をそれぞれ照射させて、原稿Ｐにおける各色の画像を１ライン分読み取らせるために、例えば図９に示すように、ライン周期Ｔ０を３分割する。そして、読取制御部１２は、当該３分割した期間のそれぞれを、Ｒ色の画像を１ライン分読み取らせるライン周期Ｔｒ、Ｇ色の画像を１ライン分読み取らせるライン周期Ｔｇ、Ｂ色の画像を１ライン分読み取らせるライン周期Ｔｂとする。
【００９８】
これに合わせて、読取制御部１２は、ライン周期Ｔ０における所定の時刻ｔ０〜ｔ５にそれぞれ対応するライン周期Ｔｒにおける所定の時刻ｔ０ｒ〜ｔ５ｒの各間隔を、ライン周期Ｔ０における所定の時刻ｔ０〜ｔ５の各間隔の３分の１倍に縮小する。これと同様に、読取制御部１２は、ライン周期Ｔ０における所定の時刻ｔ０〜ｔ５にそれぞれ対応するライン周期Ｔｇにおける所定の時刻ｔ０ｇ〜ｔ５ｇの各間隔を、ライン周期Ｔ０における所定の時刻ｔ０〜ｔ５の各間隔の３分の１倍に縮小する。また、読取制御部１２は、ライン周期Ｔ０における所定の時刻ｔ０〜ｔ５にそれぞれ対応するライン周期Ｔｂにおける所定の時刻ｔ０ｂ〜ｔ５ｂの各間隔を、ライン周期Ｔ０における所定の時刻ｔ０〜ｔ５の各間隔の３分の１倍に縮小する。
【００９９】
この場合、読取制御部１２は、ライン周期Ｔｒの間、ＬＥＤ光源９１Ｒのみを点灯させることにより、原稿Ｐに対してＲ色の光を照射させる。
【０１００】
ライン周期Ｔｒにおける所定の時刻ｔ１ｒ（第１タイミング）になると、読取制御部１２は、受光素子３１Ｒ（図４）に受光電圧を出力させる。その後、所定の時刻ｔ２ｒ（第２タイミング）になると、受光素子３２Ｒ（図４）に受光電圧を出力させる。そして、読取制御部１２は、時刻ｔ１ｒ及び時刻ｔ２ｒに出力させた２つの受光電圧の差分電圧を、当該ライン周期ＴｒでＲ色の画像を１ライン分読み取るときの基準電圧（以下、Ｒ基準電圧と示す）として決定する。
【０１０１】
その後、読取制御部１２は、所定の時刻ｔ３ｒになると、受光素子３３−１〜３３−ｎのうち、主走査方向の解像度に応じた数の第３の受光素子３３に受光電圧を出力させる。
【０１０２】
そして、読取制御部１２は、第３の受光素子３３による受光電圧の出力が終了した時刻ｔ４ｒになると、第３の受光素子３３によって出力された各受光電圧と、上記決定したＲ基準電圧と、の差分電圧のそれぞれを、ＣＭＯＳイメージセンサー９３に読み取らせた読取対象ラインのＲ色の画像の各画素の濃度を示す濃度電圧とする。このようにして、読取制御部１２は、当該各濃度電圧を示す値からなる画像データを、読取対象ラインのＲ色の画像を示す画像データとして取得する。
【０１０３】
そして、読取制御部１２は、ライン周期Ｔｒの終了時刻ｔ５ｒになると、受光素子３１Ｒ及び受光素子３２Ｒの出力端に接続されたコンデンサーに蓄積されている電荷を残したまま、第３の受光素子３３の出力端に接続されたコンデンサーに蓄積されている電荷のみを消去（リセット）する。
【０１０４】
つまり、時刻ｔ１ｒにおいて、読取制御部１２は、１つ前のライン周期Ｔｒで読取対象ラインの１つ前のラインのＲ色の画像を示す画像データを取得しているときに、原稿Ｐに光が照射されたことによって受光素子３１Ｒに接続されたコンデンサーに蓄積された電荷を増幅して出力させる。このようにして、読取制御部１２は、時刻ｔ１ｒにおいて、受光素子３１Ｒに、当該ライン周期Ｔｒにおける読取対象ラインの１つ前のラインのＲ色の画像を読み取ったときの受光電圧を出力させる。
【０１０５】
この場合、周期制御部１３は、スイッチング電源２がライン周期Ｔｒにおける時刻ｔ１ｒ及び時刻ｔ２ｒに、スイッチング電源２が供給する電源電圧の差分電圧が、スイッチング周期Ｔｓで変動する電源電圧の最大値と最小値の差分電圧に一致しないように、図６又は図７を用いて上述した周期変更処理と同様にして、スイッチング周期Ｔｓを変更する。
【０１０６】
次に、読取制御部１２は、上述のライン周期ＴｒにおいてＲ色の１ライン分の画像データを取得するときと同様に、ライン周期ＴｇにおいてＧ色の１ライン分の画像データを取得する。また、この場合、周期制御部１３は、ライン周期Ｔｇにおける時刻ｔ１ｇ及び時刻ｔ２ｇに、スイッチング電源２が供給する電源電圧の差分電圧が、スイッチング周期Ｔｓで変動する電源電圧の最大値と最小値の差分電圧に一致しないように、図６又は図７を用いて上述した周期変更処理と同様にして、スイッチング周期Ｔｓを変更する。
【０１０７】
そして、読取制御部１２は、上述のライン周期ＴｒにおいてＲ色の１ライン分の画像データを取得するときと同様に、ライン周期ＴｂにおいてＢ色の１ライン分の画像データを取得する。また、この場合、周期制御部１３は、ライン周期Ｔｂにおける時刻ｔ１ｂ及び時刻ｔ２ｂに、スイッチング電源２が供給する電源電圧の差分電圧が、スイッチング周期Ｔｓで変動する電源電圧の最大値と最小値の差分電圧に一致しないように、図６又は図７を用いて上述した周期変更処理と同様にして、スイッチング周期Ｔｓを変更する。
【０１０８】
このようにして、読取制御部１２は、ライン周期Ｔｒにおいて原稿ＰのＲ色の１ライン分の画像データを取得し、ライン周期Ｔｇにおいて原稿ＰのＧ色の１ライン分の画像データを取得し、ライン周期Ｔｂにおいて原稿ＰのＢ色の１ライン分の画像データを取得することにより、原稿ＰにおけるＲＧＢ各色の１ライン分の画像データを取得する。そして、読取制御部１２は、このように原稿ＰにおけるＲＧＢ各色の１ライン分の画像データを取得することを繰り返し、原稿ＰにおけるＲＧＢ各色の全ライン分の画像データを取得する。
【０１０９】
この構成によれば、光源９１から照射される光の色がＲ色であるときのライン周期Ｔｒにおける所定の時刻ｔ１ｒ及び時刻ｔ２ｒにおいて、受光素子３１Ｒ及び受光素子３２Ｒにそれぞれ受光電圧を出力させるときに用いる電源電圧の電圧差が軽減される。同様に、光源９１から照射される光の色がＧ色であるときのライン周期Ｔｇにおける所定の時刻ｔ１ｇ及び時刻ｔ２ｇにおいて、受光素子３１Ｇ及び受光素子３２Ｇにそれぞれ受光電圧を出力させるときに用いる電源電圧の電圧差が軽減される。また、光源９１から照射される光の色がＢ色であるときのライン周期Ｔｂにおける所定の時刻ｔ１ｂ及び時刻ｔ２ｂにおいて、受光素子３１Ｂ及び受光素子３２Ｂにそれぞれ受光電圧を出力させるときに用いる電源電圧の電圧差が軽減される。これにより、読取制御部１２は、光源９１に照射させる光の色に応じて適切な基準電圧を決定することができる。その結果、読み取られた各色の画像に主走査方向に延びる筋状の画像が現れる虞を精度良く軽減することができる。
【符号の説明】
【０１１０】
１  カラー複写機（画像形成装置）
２  スイッチング電源
４  画像形成部（負荷）
６  原稿給送部（負荷）
７  操作部（負荷）
１０  制御部（負荷）
１２  読取制御部
１３  周期制御部
３１、３１Ｂ、３１Ｇ、３１Ｋ、３１Ｒ  第１の受光素子
３２、３２Ｂ、３２Ｇ、３２Ｋ、３２Ｒ  第２の受光素子
３３、３３−１〜３３−ｎ  第３の受光素子
９  ＣＩＳ（密着型画像センサー、負荷）
９１  光源
９３  ＣＭＯＳイメージセンサー（固体撮像素子）
Ａ  画像読取領域
Ｐ  原稿
Ｔ０、Ｔ０ｕ、Ｔ０ｖ、Ｔｂ、Ｔｇ、Ｔｒ  ライン周期
ｔ１、ｔ１ｂ、ｔ１ｇ、ｔ１ｒ、ｔ１ｕ、ｔ１ｖ  時刻（第１タイミング）
ｔ２、ｔ２ｂ、ｔ２ｇ、ｔ２ｒ、ｔ２ｕ、ｔ２ｖ  時刻（第２タイミング）
【図１】
2015154458.tif 000003
【図２】
2015154458.tif 000004
【図３】
2015154458.tif 000005
【図４】
2015154458.tif 000006
【図５】
2015154458.tif 000007
【図６】
2015154458.tif 000008
【図７】
2015154458.tif 000009
【図８】
2015154458.tif 000010
【図９】
2015154458.tif 000011
【図１０】
2015154458.tif 000012